(57)【特許請求の範囲】
【請求項１】
自動車のサスペンション用の非対称ダンパ装置であって、該ダンパ（６）の本体（９）の両側に配置された弁（１１、１２）を含み、該弁は、液体の流量が多いときに、前記本体（９）を通る液体の移動方向に応じて異なる減衰力を得るように構成され、中央部分（１５）が前記本体（９）の軸の方向に沿って延びており、可動部品（２１）と協動するジェットを備えることにより、液体の流量が少ないときに、前記ジェットを通る液体の移動方向に応じて異なる減衰力を得るようにされた装置において、
前記可動部品（２１）は剛性で、前記ダンパ（６）の前記本体の前記中央部（１５）で前記ジェットと同じレベルに配置され、液体が通過可能な二つの断面を前記ジェットと共にそれぞれ画定する二つの端位置の間で、液体の移動によって移動可能であり、
前記断面の一方が他方よりも大きく、
前記剛性の可動部品が、その二つの端位置でそれぞれ２個のはめ込み部品により支持される金属球（２１）であり、
前記各はめ込み部品は、前記ダンパ（６）の前記本体（９）の前記中央部分（１５）に、この本体の軸に対して横方向に固定されるピン（１９；２０）から構成され、
前記ジェットは、前記２個の止めピン（１９、２０）にそれぞれ隣接する異なる直径の２個の連続軸穴（１５ｃ、１５ｄ）により画定され、
前記球（２１）は、前記端位置のいずれかで前記２個の穴の一方に収容されるようにしたことを特徴とする装置。
【請求項２】
自動車のサスペンション用の非対称ダンパ装置であって、該ダンパ（６）の本体（９）の両側に配置された弁（１１、１２）を含み、該弁は、液体の流量が多いときに、前記本体（９）を通る液体の移動方向に応じて異なる減衰力を得るように構成され、中央部分（１５）が前記本体（９）の軸の方向に沿って延びており、可動部品（２３）と協動するジェットを備えることにより、液体の流量が少ないときに、前記ジェットを通る液体の移動方向に応じて異なる減衰力を得るようにされた装置において、
前記可動部品（２３）は剛性で、前記ダンパ（６）の前記本体の前記中央部（１５）で前記ジェットと同じレベルに配置され、液体が通過可能な二つの断面を前記ジェットと共にそれぞれ画定する二つの端位置の間で、液体の移動によって移動可能であり、
前記断面の一方が他方よりも大きく、
前記剛性の可動部品は、二端が開いているほぼ筒状の剛性の舟形部品（２３）であり、前記ダンパ（６）の前記本体（９）の前記中央部分（１５）の軸穴（１５ｉ）に軸方向摺動式に取り付けられ、
該摺動は、前記ジェットと、前記舟形部品（２３）のガイド穴（１５ｉ）内部に連通する前記舟形部品（２３）の壁（２３ａ）に設けられて同じくジェット（１５ｌ）をなす傾斜穴とを通過できるように、前記本体（９）の軸（Ｘ−Ｘ’）に対して横方向に前記中央部分（１５）に固定された環状リング（２４）からなるはめ込み部品で支持される一方の端位置と、前記傾斜穴（１５ｌ）を通る液体の通路を塞いで前記ジェット（１５ｃ）のみを液体が通過できるように、前記中央部分（１５）の対応シート（１５ｊ）で支持される他方の端位置との間で行われることを特徴とする装置。
【請求項３】
前記ダンパ（６）の前記本体（９）の前記中央部分（１５）に２個のストッパを含み、前記剛性の可動部品（２１；２３）の行程を、該可動部品の二つの端位置にそれぞれ制限することを特徴とする請求項１または２に記載の装置。
【請求項４】
前記２個のストッパの一方（１９；２０；２４）は、はめ込み部品であることを特徴とする請求項３に記載の装置。
【請求項５】
自動車のサスペンション用の非対称ダンパ装置であって、該ダンパ（６）の本体（９）の両側に配置された弁（１１、１２）を含み、該弁は、液体の流量が多いときに、前記本体（９）を通る液体の移動方向に応じて異なる減衰力を得るように構成され、中央部分（１５）が前記本体（９）の軸の方向に沿って延びており、可動部品（２１）と協動するジェットを備えることにより、液体の流量が少ないときに、前記ジェットを通る液体の移動方向に応じて異なる減衰力を得るようにされた装置において、
前記可動部品（２１）は剛性で、前記ダンパ（６）の前記本体の前記中央部（１５）で前記ジェットと同じレベルに配置され、液体が通過可能な二つの断面を前記ジェットと共にそれぞれ画定する二つの端位置の間で、液体の移動によって移動可能であり、
前記断面の一方が他方よりも大きく、
該装置は、前記ダンパ（６）の前記本体（９）の中央部分（１５）に２個のストッパを含み、前記剛性の可動部品（２１）の行程を、該可動部品の二つの端位置にそれぞれ制限し、
前記２個のストッパの一方（１５ｇ）は、前記中央部分（１５）の内面から構成され、
前記剛性の可動部品は、金属球（２１）であり、その二つの端位置で、前記球（２１）のシートをなす前記中央部分（１５）の内面（１５ｇ）と、前記本体（９）の軸に対して横方向に前記中央部分（１５）に固定されるはめ込み部品（２２）とでそれぞれ支持され、
前記ジェットは、異なる直径の２個の対向する軸穴（１５ｃ、１５ｄ）により画定され、それによって、前記球（２１）は、前記はめ込み部品（２２）で支持される一方の端位置で直径の大きい方の穴（１５ｄ）に収容され、前記シート（１５ｇ）で支持される他方の端位置で、直径の小さい方の穴（１５ｃ）を塞ぐことを特徴とする装置。
【請求項６】
前記はめ込み部品（２２）は、ほぼ菱形の形状を有し、その辺（２２ａ）は、液体を通過可能にするように湾曲していることを特徴とする請求項５に記載の装置。
【請求項７】
前記ダンパ（６）の前記本体（９）の前記中央部分に設けた傾斜穴（１５ｆ）を含み、該穴は、異なる直径の２個の軸穴（１５ｃ、１５ｄ）の間に設けられた軸穴（１５ｅ）に通じることにより、前記シート（１５ｇ）における前記球（２１）の支持位置で液体を通過可能にし、前記傾斜穴（１５ｆ）は、前記直径の小さい方の穴（１５ｃ）にほぼ等しい直径を有することを特徴とする請求項５または６に記載の装置。
【請求項８】
前記ダンパ（６）の前記本体（９）の前記中央部分（１５）は、単一部品から構成されることを特徴とする請求項１ないし７のいずれか一項に記載の装置。
【請求項９】
前記ダンパ（６）の前記本体（９）の前記中央部分（１５）は、ねじ留めにより互いに組み立てられる２個の要素（１５Ａ、１５Ｂ）から構成されることを特徴とする請求項５ないし７のいずれか一項に記載の装置。
【請求項１０】
前記ジェットは、前記環状の止めリング（２４）に対向する前記舟形部品（２３）の端壁（２３ｂ）を通って設けられた軸穴（１５ｃ）であり、前記舟形部品（２３）の内部に連通することを特徴とする請求項２並びに請求項２を引用する請求項３、４及び８のいずれか一項に記載の装置。
【請求項１１】
前記弁は可撓性であって、同一側に配置される弁は駆動弁（１２）、反対側に配置される弁は伸張弁（１１）であり、該弁（１１、１２）は、一定の液体流量から駆動時よりも伸張時に大きい減衰力を得るように配置されることを特徴とする請求項１ないし１０のいずれか一項に記載の装置。
【請求項１２】
駆動時の減衰力は、液体の通過断面が大きい方の前記可動部品（２１；２３）の端位置に対応し、該減衰力は、前記可動部品（２１；２３）の他方の端位置で小さい方の液体通過断面によって得られる伸張時の減衰力よりも小さいことを特徴とする請求項１ないし１１のいずれか一項に記載の装置。
【請求項１３】
前記サスペンションは、油圧式またはハイドロニューマチック式であることを特徴とする請求項１ないし１２のいずれか一項に記載の装置。
【請求項１４】
ダイヤフラム（３）を備えたハイドロニューマチックアキュムレータ（１）と、非対称ダンパ装置（６）とを含む自動車のハイドロニューマチックサスペンション用のハイドロニューマチックブロックにおいて、前記ダンパ装置（６）が、請求項１ないし１３のいずれか一項に記載されたように構成されることを特徴とするハイドロニューマチックブロック。
【発明の詳細な説明】
【０００１】
本発明は、特にハイドロニューマチック式の自動車のサスペンション用の非対称ダンパ装置に関する。
【０００２】
図１は、自動車の車輪の既知のハイドロニューマチックサスペンションをきわめて概略的に示している。
【０００３】
このサスペンションは、ガス室４とオイル室５とをそれぞれ画定する柔軟なダイヤフラム３を内部に備えた、球状の外装２を有するハイドロニューマチックブロック１と、ダンパ６とを含む。ダンパ６は、図ではサスペンションの球体２から分離されたものとして示されているが、一般にはサスペンションの球体の内部に組み込まれている。
【０００４】
ダンパ６は、オイル室５と、車輪Ｒが接続されるサスペンションジャッキ７のシリンダ７ａ内に画定される下部室Ｃとの間に配置される。下部室Ｃは、ジャッキ７のピストン７ｂの下に画定され、ピストン７ｂは、自動車の車体８に上端で結合されるジャッキシャフト７ｃに結合される。一定の構造では、ジャッキシャフト７ｃが中空であり、サスペンションの球体２とその上部で連通する。
【０００５】
この種のサスペンションは、ハイドロニューマチックアキュムレータ１によって確保されるフレキシビリティと、油圧ダンパ６によって確保される減衰力とを特徴とする。油圧ダンパは、駆動時、すなわち、たとえば障害物の通過時に車輪Ｒが上がるとき、矢印Ａが示す方向に、また伸張時、すなわち車輪が穴に落ちて下がるとき、矢印Ｂが示す方向に、油圧液（オイル）の通過を制限する役割を果たす。
【０００６】
図２に従来のダンパ６を示した。このダンパは、たとえばクランプによって球状の外装２の下部に端部品１０（図１参照）が固定されており、この端部品に固定される鋼等の剛性材料からなる本体９と、油圧液の各通路１３、１４を閉鎖できるようにダンパ６の本体９の各側に配置された、可撓性の伸張弁１１と駆動弁１２とを含み、前記通路は、本体９に対して横方向に設けられ、本体の外側で同一の円周に配置される。さらに、ダンパ６は、ダンパの軸の方向に沿って、本体９の軸と同軸のジェット１６を備えた中央部分１５を含み、中央部分１５は、あらゆる適切な手段、たとえばクランプによって本体９に固定されている。クランプはまた、中央部分の位置で本体９に可撓性の弁１１、１２を保持する。
【０００７】
ダンパ６を通る液体の流量は、車輪の変位速度に依存する。かくして、液体の流量が比較的多く、いずれにしても所定の最小閾値に達するか、もしくはこの閾値を超える場合、弁１１または１２は、駆動時または伸張時に、ダンパ６を通る液体の通過方向に応じて開く。また、弁１１および１２は、予め応力を与えられ、駆動時と伸張時とで異なる減衰力を得るように持ち上がる。一般に、弁１１、１２は、液体の流量が所定の最低閾値を超えると、伸張時よりも駆動時に車輪の運動の減衰が少なくなるように調整される。反対に、所定の最低閾値未満の少ない流量、すなわち車輪の変位速度が遅い場合、液体は中央ジェット１６を通るので、減衰力は伸張時と駆動時で同じになり、車両の乗員の快適性を損なう。
【０００８】
車両の乗員の快適性をさらに改善するために、車両の車輪の変位速度が遅いとき、駆動時よりも伸張時に減衰力が大きくなるダンパ装置が既に提案されている。
【０００９】
上記の既知の解決方法は、フランス特許ＦＲ−Ｂ−２６８１３８６号に記載されており、この特許は、車輪の変位速度が遅いときの減衰力の差が、各ダンパに対して非対称な弁をなす可撓性部品によって得られるダンパ装置を開示している。前記部品は、ダンパを含むハイドロニューマチックブロックに一端ではめ込まれる複数の脚部を備え、脚部の間を液体が流れることができる。可撓性部品の中央部分は、中央穴があけられていて、ダンパの中央部分に取り付けられているか、または取り付けられておらず、ダンパの中央部分自体には、ジェットをなす軸方向の管路が設けられている。
【００１０】
しかしながら、上記の既知の装置には幾つかの欠点がある。まず第一に、ダンパを含むブロックに弁をなす可撓性部品を保持する手段を設けなくてはならないので、複雑性が増し、従って、コスト高になる。しかも、こうした可撓性の弁は、時間が経つとともに流動して、特性が劣化するおそれがあり、その結果、減衰力の差がもはや最初と同じではなくなる。特に、伸張段階にダンパに可撓性の弁を支持する際の気密性が得られなくなる。
【００１１】
本発明は、簡単かつ安価に製造され、経時的に特性が劣化しないダンパを提案することにより、既知の解決方法の上記の欠点を除去することを目的とする。
【００１２】
このため、本発明による自動車のサスペンション用の非対称なダンパ装置は、ダンパの本体の両側に配置された弁を含み、前記弁は、液体の流量が多いときに、本体を通る液体の移動方向に応じて異なる減衰力を得るように構成され、中央部分は、本体の軸の方向に沿って延びており、可動部品と協動するジェットを備えることにより、液体の流量が少ないときに、ジェットを通る液体の移動方向に応じて異なる減衰力を得るようにされた装置であって、可動部品は剛性であり、ダンパの本体の中央部でジェットと同じレベルに配置され、液体が通過可能な二つの断面をジェットと共にそれぞれ画定する二つの端位置の間で、液体の移動によって移動可能であり、断面の一方が他方よりも大きいことを特徴とする。
【００１３】
装置は、有利には、ダンパ本体の中央部分に２個のストッパを含み、剛性の可動部品の行程を、この可動部品の二つの端位置にそれぞれ制限する。
【００１４】
２個のストッパの少なくとも一方は、はめ込み部品である。
【００１５】
変形実施形態によれば、２個のストッパの少なくとも一方は、ダンパ本体の中央部分の内面から構成される。
【００１６】
特定の実施形態によれば、剛性の可動部品は、その二つの端位置で２個のはめ込み部品により支持される金属球であり、各はめ込み部品は、ダンパ本体の中央部分に、この本体の軸に対して横方向に固定されるピンから構成され、ジェットは、２個の止めピンにそれぞれ隣接する異なる直径の２個の連続軸穴により画定され、球は、端位置のいずれかで２個の穴の一方に収容されるようにしている。
【００１７】
別の特定の実施形態によれば、剛性の可動部品は金属球であり、その二つの端位置で、球のシートをなす中央部分の内面と、ダンパ本体の中央部分に前記本体の軸に対して横方向に固定されるはめ込み部品とでそれぞれ支持され、ジェットは、異なる直径の２個の対向する軸穴により画定され、それによって、球は、はめ込み部品で支持される一方の端位置で直径の大きい方の穴に収容され、シートで支持される他方の端位置で直径の小さい方の穴を塞ぐ。
【００１８】
有利には、この実施形態のはめ込み部品は、ほぼ菱形の形状を有し、その辺が、液体を通過可能にするように湾曲している。
【００１９】
ダンパ本体の中央部分に傾斜穴が設けられ、傾斜穴は、異なる直径の２個の軸穴の間に設けられた軸穴に通じることにより、シートにおける球の支持位置で液体の通過を可能にし、傾斜穴の直径は、直径の小さい方の軸穴の直径にほぼ等しい。
【００２０】
ダンパ本体の中央部分は、単一部品から構成され、あるいは変形実施形態によれば、ねじ留めにより互いに組み立てられる２個の要素から構成される。
【００２１】
第三の実施形態によれば、剛性の可動部品は、二端が開いているほぼ筒状の剛性の舟形部品であり、ダンパ本体の中央部分の軸穴に軸方向摺動式に取り付けられ、この摺動は、ジェットと、舟形部品のガイド穴と内部を連通する舟形部材のの壁を通って設けられて同じくジェットをなす傾斜穴とを液体が通過できるように、本体の軸に対して横方向に中央部分に固定された環状リングからなるはめ込み部品で支持される一方の端位置と、傾斜穴を通る液体の通路を塞いでジェットのみを液体が通過できるように、中央部分の対応するシートで支持される他方の端位置との間で行われる。
【００２２】
ジェットは、環状の止めリングに対向する舟形部品の端壁を通って設けられた軸穴であり、舟形部品の内部に連通する。
【００２３】
弁は可撓性であって、同一側に配置される弁は駆動弁、反対側に配置される弁は伸張弁であり、弁は、一定の液体流量から駆動時よりも伸張時に大きい減衰力を得るように配置される。
【００２４】
駆動時の減衰力は、液体の通過断面が大きい方の可動部品の端位置に対応し、この減衰力は、可動部品の他方の端位置で小さい方の液体通過断面によって得られる伸張時の減衰力よりも小さい。
【００２５】
好適には、サスペンションは、油圧式またはハイドロニューマチック式である。
【００２６】
本発明はまた、ダイヤフラムを備えたハイドロニューマチックアキュムレータと、非対称ダンパ装置とを含む自動車のハイドロニューマチックサスペンション用のハイドロニューマチックブロックを対象とし、ダンパ装置は、上記のように構成されることを特徴とする。
【００２７】
本発明は、単に例として挙げられた本発明の複数の実施形態を示す添付図面に関して、以下の説明からいっそう理解され、本発明の他の目的、特徴、詳細および長所がさらに明らかになるであろう。
【００２８】
図３、４は、本発明の第一の実施形態による非対称ダンパ装置を詳細に示している。
【００２９】
この装置の部品は、図２の既知の装置の部品と共通で同じ機能を果たす場合、同じ参照符号を付されている。後述する他の実施形態に関しても同様である。
【００３０】
図３、４に示したダンパ装置６は、端部品１０に固定された剛性の本体９を含む。端部品は、ハイドロニューマチックアキュムレータ１（図１参照）の下部に結合され、液体室（オイル）５と連通するチャンバ１７を内部に画定する。
【００３１】
本体９は、本体を通って長手方向の軸Ｘ−Ｘ’に平行に設けられて、同一円周上で互いに角方向に分離された穴１３を含む。穴１３は、可撓性の伸張弁１１により本体９の片面で閉鎖可能である。この面は、図３、４では右側に配置されている。本体９はまた、本体を通って軸Ｘ−Ｘ’に平行に設けられて、可撓性の駆動弁１２により反対の面で閉じられる他の穴１４を含む。駆動弁１２は、図３に矢印Ａ１で示したように、駆動時に液体が穴１３を自在に通過できるように穴１３から軸方向にシフトされ、他方、伸張弁１１は、図４に矢印Ｄ１で示したように、液体が穴１４を自在に通過できるように穴１４から軸方向にシフトされている。
【００３２】
単一部品からなる中央部分１５は、中央部分１５の一端でクランプ１５ａにより本体９に本体と同軸に固定され、クランプは、リング１８を介して伸張弁１１を保持する。中央部分１５の反対端は、他のリング１８を介して駆動弁１２に押し当てられるショルダ１５ｂを含む。
【００３３】
中央部分１５は軸方向に穿孔されており、その中央部に、直径が小さい方の穴１５ｃと、直径が大きい方の穴１５ｄとの連続する２個の隣接穴を含む。これらの穴は、図３、４から見て左と右にそれぞれ配置され、また、軸方向に間隔を開けた２個のピン１９，２０の間に配置されている。ピンは、本体９の軸Ｘ−Ｘ’に対して横方向に中央部分１５に固定される。
【００３４】
たとえば鋼からなる金属球２１は、中央部分１５で２個の止めピン１９、２０の間に収容され、液体の移動によって、２個のピン１９、２０でそれぞれ支持される２個の端位置の間を移動可能である。この時、ピン２０で支持されるとき、矢印Ａ２で示された方向に駆動液が通過する通過断面は、穴１５ｄと球２１との直径の差により画定され、球２１がピン１９で支持されるときの、穴１５ｃと球２１の直径の差により画定される、矢印Ｄ２によって示されたような伸張時の液体の通過断面よりも大きくなるようにする。
【００３５】
このように、液体の流量が比較的多く、所定の最低閾値に達するか、もしくはこの閾値を超える場合、車輪が障害物を越えると、液体が矢印Ａ１で示された方向に穴１３を通り、可撓性の弁１１を持ち上げる。車輪が穴に落ちると、一定量の液体がチャンバ５からサスペンションジャッキ７の方に移動し、流量が多いために、液体が矢印Ｄ１で示された方向に穴１４を通って可撓性の弁１２を持ち上げる。弁１１、１２によって、たとえば弁１１の数よりも多い数の弁１２を設けることにより、または各弁１１よりも多い各弁１２の薄片を積み重ねることにより、あるいはまた弁の厚みを調整することにより、液体の流量が比較的多い場合、駆動時よりも伸張時に減衰力を大きくすることができる。
【００３６】
流量が所定の最低閾値よりも低くて少ない場合、液体は、駆動時に、金属球２１を右側に移動して金属球がピン２０で支持されるように導き、それによって、液体は、開いた穴１５ｃによって画定されるジェットと、大きい方の直径の穴１５ｄおよび球２１の間に画定される通過断面とを通る。伸張時には、球２１を移動して球がピン１９で支持されるようにし、その結果、液体は、小さい方の直径の穴１５ｃと球２１との間に画定される小さい方の断面を通過するため、駆動時よりも伸張時の方が大きい減衰力となって現れる。
【００３７】
換言すれば、減衰力は、車輪の垂直変位速度とは無関係に駆動時よりも伸張時に大きくなる。
【００３８】
図５、６に示された第二の実施形態を参照すると、ダンパ装置６は、図３、４の第一の実施形態に記載したものと同じ本体９と、伸張弁１１および駆動弁１２とを含む。
【００３９】
この第二の実施形態によれば、中央部分１５が、単一部品から構成されて第一の実施形態の中央部分１５と同様に本体９に固定され、すなわち、一端でクランプ１５ａが、他端でショルダ１５ｂが、リング１８を介して本体９の対応面に弁１１、１２を押し当てて固定され、ジェットをなす軸穴１５ｃを含む。この軸穴１５ｃは、軸穴１５ｅを介して直径のより大きい別の軸穴１５ｄと連通し、軸穴１５ｅの直径は、穴１５ｃの直径と穴１５ｄの直径との中間である。
【００４０】
中間の穴１５ｅは、中央部分１５に設けられてチャンバ１７に至る傾斜穴１５ｆと連通する。傾斜穴１５ｆの直径は、穴１５ｃにほぼ等しい。
【００４１】
金属球２１は、穴１５ｄに収容されており、中間穴１５ｅの反対側で中央部分の軸Ｘ−Ｘ’に対して横方向に中央部分１５に固定されたストッパ２２で支持される端位置と、中間穴１５ｅと直径の大きい方の穴１５ｄとの結合面に設けられたシート１５ｇで支持される別の端位置とを、液体の移動によって占有可能である。
【００４２】
図５に鎖線で正面図を示したストッパ２２は、ほぼ菱形の形状を有し、その辺２２aが、液体を通過可能にするように湾曲している。
【００４３】
流量が多い場合、車輪が障害物を通過する時、従って駆動時は、液体が可撓性の弁１１を持ち上げ、車輪が穴に落ちる伸張時は、一定量の液体がチャンバ５からサスペンションジャッキ７に流れて可撓性の弁１２を持ち上げる。これらの弁を適切に調整することにより、駆動時よりも伸張時に減衰力を大きくすることができる。
【００４４】
液体の流量が少ない場合、駆動時に、液体は穴１５ｃ、１５ｅを通り、球２１を押してストッパ２２で支持させるので、液体は、穴１５ｄと球２１との間に画定される通過断面を同様に流れる。傾斜穴１５ｆにおける液体の流量は、穴１５ｄの直径が傾斜穴１５ｆの直径よりもずっと大きいのでごくわずかである。伸張時に、液体は、矢印Ｄ２で示された方向に流れ（図６）、球２１を押してシート１５ｇで気密に支持させることにより、穴１５ｅと１５ｃとを塞ぐ。このような状況で、チャンバ５から送られてチャンバ１７に至る液体は、直径の小さい穴１５ｆ、次いで穴１５ｃを通過する。そのため、減衰力は駆動時よりも伸張時に大きくなる。
【００４５】
図７に示したダンパ装置の変形実施形態は、図５、６に示した実施形態とほぼ同じであるが、中央部分１５は、互いに着脱式に固定された２個の部分１５Ａ、１５Ｂから構成されている。より詳しくは、部分１５Ａは、ほぼナットの形状であり、部分１５Ｂの対応するねじ穴１５Ｂｌにねじ留めされ、ショルダ１５ｂと、部分１５Ａのショルダ部分１５Ａｌと、リング１８とを介して、本体９の対応面に弁１１、１２を押し当てる。この構成では、ジェットをなす穴１５ｃが部分１５Ａを通って設けられ、穴１５ｅを介して直径の大きい方のジェットをなす穴１５ｄと連通する。
【００４６】
図８に示した第三の実施形態によれば、少ない流量で駆動時よりも伸張時に大きい減衰力を得られる可動部品が、金属製の舟形部品２３から構成されている。舟形部品は、単一部品からなる中央部品１５の軸穴１５ｉで摺動移動可能であり、この移動が、チャンバ１７側に配置されて環状リングからなるストッパ２４で支持される端位置と、中央部品１５の軸穴１５ｉと直径が小さい方の軸穴１５ｋとの接合面に画定されるシート１５ｊで支持される端位置との間で行われる。
【００４７】
舟形部品２３は、二端が開いた剛性の筒形をしており、ジェットをなす直径が小さい軸穴１５ｃを含み、軸穴１５ｃは、直径が大きい第二の穴２３ａに続く。第二の穴２３ａは、環状のストッパリング２４に面し、リング２４の内径と同じ直径をもつ。穴１５ｃは、舟形部品２３のほぼ円錐台形の突端をなす端壁２３ｂを通って設けられる。傾斜穴１５ｌは、舟形部品２３の壁を通って設けられ、２個の穴１５ｃ、２３ａの間の連通ゾーンに至る。かくして、傾斜穴１５ｌは、舟形部品２３の端壁２３ｂとを囲む軸穴１５ｉの一部と穴２３ａとを連通させる。
【００４８】
液体の流量が比較的多い場合、液体は、駆動時および伸張時に弁１１、１２と協動し、前の実施形態と同様に駆動時よりも伸張時に大きい減衰力を得るようにしている。これは、伸張弁１１が、駆動時と伸張時とで異なる持ち上がり方をするように、駆動弁１２とは異なる層状構造を有するためである。
【００４９】
液体の流量が少ない場合、液体は、駆動時に上流の穴１５ｋを通り、舟形部品２３を止めリング２４で支持されるように移動し、シート１５ｊから突端２３ｂを解放する。その結果、液体は、ジェットをなす穴１５ｃと傾斜穴１５ｌとを通る。伸張時には、液体は、少ない流量で中央穴２３ａを通り、突端２３ｂで舟形部品２３をシート１５ｊに気密に押し当てる。このため、液体は、ジェットをなす中央穴１５ｃだけを通り、もはや傾斜穴１５ｌから出ない。
【００５０】
自動車用の非対称ダンパ装置により、車輪の垂直変位速度とは無関係に、駆動時よりも伸張時に減衰力を大きくすることができる。球または舟形部品から構成される可動部品は、剛性の材料で製造されるので、時間の経過とともに劣化したり変形したりするおそれがなく、減衰特性が保たれる。さらに、非対称面を有するジェットの製造は、実際には、対称面を持つジェットと少しも変わらないので、製造コストが抑えられる。
【図面の簡単な説明】
【図１】  自動車の車輪の既知のハイドロニューマチックサスペンションを概略的に示す図である。
【図２】  図１のハイドロニューマチックサスペンションで使用可能な既知のダンパを示す図である。
【図３】  本発明の第一の実施形態による非対称ダンパの縦断面図である。
【図４】  本発明の第一の実施形態による非対称ダンパの縦断面図である。
【図５】  本発明の第二の実施形態による非対称ダンパの縦断面図である。
【図６】  本発明の第二の実施形態による非対称ダンパの縦断面図である。
【図７】  図５、６の非対称ダンパの変形実施形態を示す断面図である。
【図８】  本発明の第三の実施形態による非対称ダンパの縦断面図である。
【図１】
0004777577.tif 000002
【図２】
0004777577.tif 000003
【図３】
0004777577.tif 000004
【図４】
0004777577.tif 000005
【図５】
0004777577.tif 000006
【図６】
0004777577.tif 000007
【図７】
0004777577.tif 000008
【図８】
0004777577.tif 000009